【事件の表示】
　特願２０１４−１４５６１２「固体撮像装置、Ｘ線撮像システムおよび固体撮像装置駆動方法」拒絶査定不服審判事件〔平成２８年　２月　４日出願公開、特開２０１６−　１９７０８〕について、次のとおり審決する。
【結　論】
　本件審判の請求は、成り立たない。
【理　由】
第１　手続の経緯
　本願は、平成２６年７月１６日の出願であって、平成３０年５月３１日付けで拒絶理由が通知され、同年６月１５日に意見書が提出されたが、同年８月２４日付けで拒絶査定されたところ、同年１０月１８日に拒絶査定不服審判の請求がされ、その後、当審において令和元年８月９日付けで拒絶理由が通知され、同年９月２５日に意見書が提出され、同年１１月７日に面接（以下「本件面接」という。）が行われたものである。
第２　本願発明
　本願の請求項１ないし１１に係る発明は、願書に最初に添付した特許請求の範囲の請求項１ないし１１に記載された事項により特定されるとおりのものと認められるところ、そのうちの請求項１に係る発明（以下「本願発明」という。）は、次のとおりである。
「【請求項１】
　入射光強度に応じた量の電荷を発生するフォトダイオードと、このフォトダイオードと接続された読出用スイッチと、を各々含むＭＮ個の画素Ｐ１,１〜ＰＭ,ＮがＭ行Ｎ列に２次元配列された受光部と、
　前記受光部における第ｍ行のＮ個の画素Ｐｍ,１〜Ｐｍ,Ｎそれぞれの読出用スイッチに対し開閉動作を指示する第ｍ行選択制御信号を与える行選択用配線ＬＶ,ｍと、
　前記受光部における第ｎ列のＭ個の画素Ｐ１,ｎ〜ＰＭ,ｎそれぞれの読出用スイッチと接続され、前記Ｍ個の画素Ｐ１,ｎ〜ＰＭ,ｎのうちの何れかの画素のフォトダイオードで発生した電荷を、該画素の読出用スイッチを介して読み出す読出用配線ＬＯ,ｎと、
　前記読出用配線ＬＯ,１〜ＬＯ,Ｎそれぞれと接続され、前記読出用配線ＬＯ,ｎを経て入力された電荷の量に基づいて生成されたデジタル値を出力する出力部と、
　前記行選択用配線ＬＶ,１〜ＬＶ,Ｍを介して前記受光部におけるＭＮ個の画素Ｐ１,１〜ＰＭ,Ｎそれぞれの読出用スイッチの開閉動作を制御するとともに、前記出力部におけるデジタル値出力動作を制御する制御部と、
　を備え、
　前記制御部が、
　前記受光部においてＭ行Ｎ列に２次元配列された画素Ｐ１,１〜ＰＭ,Ｎを各々Ｑ行Ｒ列の画素からなる単位領域に区分し、これらの(Ｍ／Ｑ)行(Ｎ／Ｒ)列に２次元配列された単位領域を各々Ｋ行１列の単位領域からなるビニング領域に区分して、
　前記受光部において(Ｍ／ＫＱ)行(Ｎ／Ｒ)列に２次元配列されたビニング領域について順次に行毎に、該行にあるビニング領域に含まれる画素の読出用スイッチを閉じさせて、これらの画素のフォトダイオードで発生した電荷を前記出力部に入力させ、各ビニング領域に含まれるＫＱＲ個の画素から出力された電荷の量の和に応じたデジタル値を順次に列毎にＫ回繰り返して前記出力部から出力させる、
　ことを特徴とする固体撮像装置（ただし、Ｍ，Ｎは２以上の整数、ｍは１以上Ｍ以下の整数、ｎは１以上Ｎ以下の整数、Ｑ，Ｒは１以上の整数、Ｋは２以上の整数）。」
第３　当審の令和元年８月９日付け拒絶理由の概要
　当審の令和元年８月９日付け拒絶理由の概要は、次のとおりである。
　（進歩性）本件本願の請求項１ないし１１に係る発明は、その出願前日本国内又は外国において頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　　　　　　　　　　　記
・請求項　１−１１
・引用文献　１、３
・請求項　１−１１
・引用文献　２、３
＜引用文献一覧＞
引用文献１：特開平４−２３７２７３号公報
引用文献２：特開２００２−３５９７８５号公報
引用文献３：特開２００９−２６７７１２号公報
第４　引用文献の記載及び引用発明
１　引用文献１について
（１）引用文献１には、次の事項が記載されている（下線は当審において付加した。以下同様。）。
（引１−ア）「【０００１】
【産業上の利用分野】本発明は、マトリクス状に配置された複数の光電変換素子に蓄積される信号電荷を１フィールド期間又は１フレーム期間毎に垂直転送レジスタ部に移し、上記信号電荷を上記垂直転送レジスタ部から水平転送レジスタ部を介して線順次に出力する固体撮像素子を備える固体撮像装置に関する。
【０００２】
【従来の技術】一般に、電荷結合素子（ＣＣＤ：Ｃｈａｒｇｅ　Ｃｏｕｐｌｅｄ　Ｄｅｖｉｃｅ）等により形成した固体撮像素子では、例えば第３図に示すインターライントランスファ型ＣＣＤイメージセンサ３０のように、各フィールドの画素ＳＯ，ＳＥに対応する光電変換素子ににより得られる撮像電荷が、１フレームに相当する電荷蓄積期間毎に垂直転送レジスタ部３１に転送され、上記垂直転送レジスタ部３１を介して１ライン分ずつ水平転送レジスタ部３２に転送され、この水平転送レジスタ部３２の出力部３３を介して撮像出力信号として順次読み出され、上記出力部３３のリセット動作に同期したサンプリング動作を行うサンプルホールド回路４０を介して出力される。
【０００３】このようなＣＣＤイメージセンサ３０を用いた固体撮像装置では、通常、１フィールド又は１フレームに相当する電荷蓄積期間毎に撮像動作を行っているが、例えば特開平１−１４６４７６号公報に開示されているように、感度を上げた撮像動作を行う場合に、上記電荷蓄積期間をＮフレーム期間として感度をＮ倍に上げた撮像動作を行う所謂蓄積モードと呼ばれる手法が提案されている。
【０００４】
【発明が解決しようとする課題】ところで、上述の如きＣＣＤイメージセンサを用いた固体撮像装置において、従来提案されている蓄積モードを採用したのでは、感度をＮ倍に上げる場合に、ＣＣＤイメージセンサの電荷蓄積期間をＮフレーム期間として撮像動作を行うので、撮像出力信号として得られる画像が間歇的になってしまい、撮像出力信号をフレームメモリに記憶して同じ画像を繰り返し読み出す必要があり、また、残像が多くなってしまうとうい欠点がある。
【０００５】そこで、本発明は、上述の如き従来の固体撮像装置における欠点を伴うことなく、感度を上昇させた撮像動作を行うことができるようにした固体撮像装置を提供するものである。」
（引１−イ）「【０００８】
【実施例】以下、本発明に係る固体撮像装置の一実施例について、図面に従い詳細に説明する。
【０００９】本発明に係る固体撮像装置は、例えば第１図に示すように構成される。この第１図に示す
固体撮像装置
タイミング信号発生器１が発生する各種タイミング信号に基づいてＣＣＤ駆動回路２により駆動されるＣＣＤイメージセンサ１０を備える
【００１０】
ＣＣＤイメージセンサ１０は、インターライントランスファ型ＣＣＤイメージセンサであって、マトリクス状に配置された各フィールドの画素Ｓ
Ｏ
，Ｓ
Ｅ
に対応する光電変換素子に得られる撮像電荷が、１フレームに相当する電荷蓄積期間毎に垂直転送レジスタ部１１に転送され、上記垂直転送レジスタ部１１を介して１ライン分ずつ水平転送レジスタ部１２に転送され、この水平転送レジスタ部１２の出力部１３を介して撮像出力信号ＣＣＤ
ＯＵＴ
として線順次に読み出され
【００１１】ここで、上記タイミング信号発生器１は、第２図に示すように、上記ＣＣＤイメージセンサ３の垂直方向の画素ピッチに対応する水平走査周期すなわち１水平走査期間（１Ｈ）毎のタイミング信号ＨＤや、上記ＣＣＤイメージセンサ３の水平方向の画素ピッチに対応する繰り返し周期のタイミング信号Ｈ１，Ｈ２などの各種タイミング信号を発生する。上記タイミング信号ＨＤは、上記ＣＣＤ駆動回路２に供給されるとともに制御回路２（当審注：全体の記載から、「制御回路２」は「制御回路２０」の誤記と認める。）に供給される。また、上記タイミング信号Ｈ１，Ｈ２は、制御回路２０を介して上記ＣＣＤ駆動回路２に供給される。
【００１２】そして、上記ＣＣＤ駆動回路２は、上記タイミング信号発生器１が発生する上記タイミング信号ＨＤに応じた１Ｈ周期の垂直転送クロックφＶで上記ＣＣＤイメージセンサ１０の垂直転送レジスタ部１１を駆動する。さらに、上記ＣＣＤ駆動回路２は、上記タイミング信号発生器１が発生する上記タイミング信号Ｈ１，Ｈ２に応じた水平方向の画素ピッチに対応する繰り返し周期の２相の水平転送クロックφＨ１，φＨ２で上記ＣＣＤイメージセンサ１０の水平転送レジスタ部１２を駆動する。
【００１３】
上記ＣＣＤイメージセンサ１０の上記出力部１３から読み出される撮像出力信号ＣＣＤ
ＯＵＴ
は、上記出力部１３のリセット動作に同期したサンプリング動作を行うサンプルホールド回路４を介して出力される。このサンプルホールド回路４の出力信号ＳＨ
ＯＵＴ
は、反転型バッファ増幅器５により極性反転されて、信号選択スイッチ７の一方の入力端子７Ａに供給されるとともに、上記反転型バッファ増幅器５から遅延回路６を介して上記信号選択スイッチ７の他方の入力端子７Ｂに供給される
【００１４】ここで、
上記遅延回路６は、上記１水平走査期間（１Ｈ）に相当する遅延量を有する１Ｈ遅延回路である
上記信号選択スイッチ７は、上記制御回路２０から供給される制御信号ＣＴＬによって切り換え制御され、上記反転型バッファ増幅器５から直接供給される撮像出力信号ＢＦ
ＯＵＴ
と上記遅延回路３
により１Ｈ遅延された遅延撮像信号ＤＬ
ＯＵＴ
を選択して撮像信号Ｓ
ＯＵＴ
として出力端子８から出力する
【００１５】さらに、上記制御回路２０は、上記タイミング信号発生器１が発生する上記タイミング信号ＨＤがクロック入力端に供給されるＤ型フリップフロップ２１と、上記タイミング信号発生器１が発生する上記タイミング信号Ｈ１が一方の入力端に供給されるＯＲゲート２２と、上記タイミング信号発生器１が発生する上記タイミング信号Ｈ２が一方の入力端に供給されるＡＮＤゲート２３と、上記ＯＲゲート２２の出力が一方の入力端子２４Ａに供給される第１の切換スイッチ２４と、上記ＡＮＤゲート２３の出力が一方の入力端子２５Ａに供給される第２の切換スイッチ２５と、上記Ｄ型フリップフロップ２１の肯定出力が一方の入力端子２６Ａに供給される第３の切換スイッチ２６を備えてなる。
【００１６】上記Ｄ型フリップフロップ２１は、その肯定出力端がデータ入力端に接続されているとともに上記ＯＲゲート２２の他方の入力端に接続されている。また、上記Ｄ型フリップフロップ２１の肯定出力端は、上記第３の切換スイッチ２６の一方の入力端子２６Ａに接続されているとともに上記ＡＮＤゲート２３の他方の入力端に接続されている。
【００１７】上記第１の切換スイッチ２４の他方の入力端子２４Ｂには、上記タイミング信号発生器１から上記タイミング信号Ｈ１が供給される。また、上記第２の切換スイッチ２５の他方の入力端子２５Ｂには、上記タイミング信号発生器１から上記タイミング信号Ｈ２が供給される。さらに、上記第３の切換スイッチ２６の他方の入力端子２６Ｂは接地されている。また、上記第１乃至第３の切換スイッチ２４，２５，２６は、互いに連動操作されるようになっている。
【００１８】このような構成の固体撮像装置では、上記制御回路２０の上記第１乃至第３の切換スイッチ２４，２５，２６を連動操作して各他方の入力端子２４Ｂ，２５Ｂ，２６Ｂを選択することにより、通常モードが設定される。
【００１９】この
通常モードにおいて、上記制御回路２０は、上記タイミング信号発生器１が発生する各種タイミング信号ＨＤ，Ｈ
１
，Ｈ
２
などをそのまま上記ＣＣＤ駆動回路２に供給して、通常の動作モードで上記ＣＣＤイメージセンサ１０を作動させる
論理「Ｌ」の制御信号ＣＴＬを上記信号選択スイッチ７に供給する
上記信号選択スイッチ７は、上記バッファ増幅器５から直接供給される撮像出力信号ＢＦ
ＯＵＴ
を撮像信号Ｓ
ＯＵＴ
として選択して出力端子８から出力させる
【００２０】また、上記制御回路２０の上記第１乃至第３の切換スイッチ２４，２５，２６を連動操作して各一方の入力端子２４Ａ，２５Ａ，２６Ａを選択することにより、増感モードが設定される。
【００２１】この増感モードにおいて、上記制御回路２０は、上記タイミング信号Ｈ１が供給される上記ＯＲゲート２２を１水平走査期間（１Ｈ）毎に論理値が反転する上記Ｄ型フリップフロップ２１の否定出力でゲート制御することにより、第２図に示すように、１水平走査期間おきに１水平走査期間に亘って強制的に論理「Ｈ」とした２Ｈ周期のタイミング信号Ｈ１’を形成し、このタイミング信号Ｈ１’を上記第１の切換スイッチ２４を介して上記ＣＣＤ駆動回路２に供給する。また、上記制御回路２０は、上記タイミング信号Ｈ２が供給される上記ＡＮＤゲート２３を上記１水平走査期間毎に論理値が反転する上記Ｄ型フリップフロップ２１の肯定出力でゲート制御することにより、１水平走査期間おきに１水平走査期間に亘って強制的に論理「Ｌ」とした２Ｈ周期のタイミング信号Ｈ２’を形成し、このタイミング信号Ｈ２’を上記第２の切換スイッチ２５を介して上記ＣＣＤ駆動回路２に供給する。さらに、上記制御回路２０は、上記１水平走査期間毎に論理値が反転する上記Ｄ型フリップフロップ２１の肯定出力を制御信号ＣＴＬとして上記第３の切換スイッチ２５を介して上記信号選択スイッチ７の制御端子に供給する。
【００２２】すなわち、
上記制御回路２０は、増感モードにおいて、上記ＣＣＤイメーセンサ１０の水平転送レジスタ部１２を作動させる水平転送パルスφ
Ｈ１
，φ
Ｈ２
の供給を１水平走査期間おきに１水平走査期間に亘って停止させるように上記ＣＣＤ駆動回路２の制御を行うとともに、上記反転型バッファ増幅器５から出力される撮像出力信号ＢＦ
ＯＵＴ
と上記遅延回路３により１Ｈ遅延された遅延撮像信号ＤＬ
ＯＵＴ
を１水平走査期間毎に交互に選択して撮像信号Ｓ
ＯＵＴ
として出力端子８から出力するように上記信号選択スイッチ７の制御を行う
【００２３】これより、
上記ＣＣＤイメーセンサ１０の上記水平転送レジスタ部１２では、１水平走査期間おきに１水平走査期間に亘って転送動作が停止されるので、垂直方向に隣接する２個の画素の各信号電荷を加算混合して信号レベルを２倍に上昇させた撮像出力信号を１水平走査期間おきに出力する
出力部１３から上記サンプルホールド回路４を介して１水平走査期間おきに線順次に読み出される撮像出力信号ＳＨ
ＯＵＴ
は、
１水平走査期間おきに撮像出力信号が欠落したものであるが、上記信号選択スイッチ７により上記反転型バッファ増幅器５から出力される撮像出力信号ＢＦ
ＯＵＴ
と上記遅延回路３により１Ｈ遅延された遅延撮像信号ＤＬ
ＯＵＴ
を１水平走査期間毎に交互に選択することによって、上記欠落部分が１水平走査期間前の撮像出力信号で補間され、１水平走査期間毎の線順次撮像信号Ｓ
ＯＵＴ
として出力端子８から出力される
【００２４】このように、増感モードでは、上記ＣＣＤイメーセンサ１０の水平転送レジスタ部１２で垂直方向に隣接する２個の画素の各信号電荷を加算混合するので、通常モードの２倍の感度で撮像動作を行うことができる。しかも、上記撮像出力信号ＳＯＵＴは、１フレーム毎に得られるもので、間歇的な画像になってしまうことがなく、また、残像が多くなってしまうこともない。
【００２５】なお、第２図には、上述の通常モードの撮像動作により得られる撮像信号ＳＯＵＴの信号レベルを破線で示し、上記増感モードの撮像動作により得られる撮像信号ＳＯＵＴの信号レベルをに実線で示してある。
【００２６】
【発明の効果】以上のように、本発明に係る固体撮像装置では、固体撮像素子の水平転送レジスタ部を作動させる水平転送パルスの供給を水平転送パルス停止制御手段により１水平走査期間おきに１水平走査期間に亘って停止させるので、垂直方向に隣接する光電気変換素子に蓄積された２画素分の信号電荷が上記水平転送レジスタ部において加算混合され、信号レベルを２倍に上昇させた撮像信号を上記水平転送レジスタ部から１水平走査期間おきに線順次に得ることができる。そして、上記固体撮像素子から上記水平転送レジスタ部を介して上記１水平走査期間おきに線順次に出力される撮像信号と、この撮像信号を遅延手段により１水平走査期間遅延させた遅延撮像信号とを信号選択手段により交互に選択することによって、
全ライン分の撮像出力信号を線順次に得ることができる
撮像出力信号は、１フィールド
毎に得られる
（引１−ウ）【図１】
「
　　　　　　　　　　　　　　　　　　　　　　　　」
（引１−エ）【図２】
「
　　　　　　　　　　　　　　　　　　　　　　　　」
（２）
（ア）引用文献１に記載された「ＣＣＤイメージセンサ１０」は、「インターライントランスファ型ＣＣＤイメージセンサ」であるから、「各フィールドの画素ＳＯ，ＳＥに対応する光電変換素子」それぞれに対応して、「垂直転送レジスタ部１１」への「撮像電荷」の転送を制御する「トランスファゲート」が存在し、「ＣＣＤ駆動回路２」から全「トランスファゲート」に同時に転送信号を供給する「転送信号供給手段」が存在することは明らかである。
（イ）上記（ア）を踏まえると、上記（引１−ア）ないし（引１−エ）の記載から、引用文献１には、
「　タイミング信号発生器１が発生する各種タイミング信号に基づいてＣＣＤ駆動回路２により駆動されるＣＣＤイメージセンサ１０を備える固体撮像装置であって、
　上記ＣＣＤイメージセンサ１０は、インターライントランスファ型ＣＣＤイメージセンサであって、マトリクス状に配置された各フィールドの画素ＳＯ，ＳＥに対応する光電変換素子に得られる撮像電荷が、各光電変換素子に対応するトランスファゲートを介して、ＣＣＤ駆動回路２から転送信号供給手段により全トランスファゲートに同時に供給される転送信号に応じて、１フレームに相当する電荷蓄積期間毎に垂直転送レジスタ部１１に転送され、上記垂直転送レジスタ部１１を介して１ライン分ずつ水平転送レジスタ部１２に転送され、この水平転送レジスタ部１２の出力部１３を介して撮像出力信号ＣＣＤＯＵＴとして線順次に読み出され、
　上記ＣＣＤイメージセンサ１０の上記出力部１３から読み出される撮像出力信号ＣＣＤＯＵＴは、上記出力部１３のリセット動作に同期したサンプリング動作を行うサンプルホールド回路４を介して出力され、このサンプルホールド回路４の出力信号ＳＨＯＵＴは、反転型バッファ増幅器５により極性反転されて、信号選択スイッチ７の一方の入力端子７Ａに供給されるとともに、上記反転型バッファ増幅器５から遅延回路６を介して上記信号選択スイッチ７の他方の入力端子７Ｂに供給され、
　上記遅延回路６は、上記１水平走査期間（１Ｈ）に相当する遅延量を有する１Ｈ遅延回路であり、上記信号選択スイッチ７は、制御回路２０から供給される制御信号ＣＴＬによって切り換え制御され、上記反転型バッファ増幅器５から直接供給される撮像出力信号ＢＦＯＵＴと上記遅延回路６により１Ｈ遅延された遅延撮像信号ＤＬＯＵＴを選択して撮像信号ＳＯＵＴとして出力端子８から出力し、
　通常モードにおいて、
　上記制御回路２０は、上記タイミング信号発生器１が発生する各種タイミング信号ＨＤ，Ｈ１，Ｈ２などをそのまま上記ＣＣＤ駆動回路２に供給して、通常の動作モードで上記ＣＣＤイメージセンサ１０を作動させ、論理「Ｌ」の制御信号ＣＴＬを上記信号選択スイッチ７に供給し、上記信号選択スイッチ７は、上記バッファ増幅器５から直接供給される撮像出力信号ＢＦＯＵＴを撮像信号ＳＯＵＴとして選択して上記出力端子８から出力させ、
　増感モードにおいて、
　上記制御回路２０は、上記ＣＣＤイメーセンサ１０の上記水平転送レジスタ部１２を作動させる水平転送パルスφＨ１，φＨ２の供給を１水平走査期間おきに１水平走査期間に亘って停止させるように上記ＣＣＤ駆動回路２の制御を行うとともに、上記反転型バッファ増幅器５から出力される撮像出力信号ＢＦＯＵＴと上記遅延回路６により１Ｈ遅延された遅延撮像信号ＤＬＯＵＴを１水平走査期間毎に交互に選択して撮像信号ＳＯＵＴとして上記出力端子８から出力するように上記信号選択スイッチ７の制御を行い、
　上記ＣＣＤイメーセンサ１０の上記水平転送レジスタ部１２では、１水平走査期間おきに１水平走査期間に亘って転送動作が停止されるので、垂直方向に隣接する２個の画素の各信号電荷を加算混合して信号レベルを２倍に上昇させた撮像出力信号を１水平走査期間おきに出力し、上記出力部１３から上記サンプルホールド回路４を介して１水平走査期間おきに線順次に読み出される撮像出力信号ＳＨＯＵＴは、１水平走査期間おきに撮像出力信号が欠落したものであるが、上記信号選択スイッチ７により上記反転型バッファ増幅器５から出力される撮像出力信号ＢＦＯＵＴと上記遅延回路６により１Ｈ遅延された遅延撮像信号ＤＬＯＵＴを１水平走査期間毎に交互に選択することによって、上記欠落部分が１水平走査期間前の撮像出力信号で補間され、１水平走査期間毎の線順次撮像信号ＳＯＵＴとして上記出力端子８から出力される、
固体撮像装置。」
の発明（以下「引用発明」という。）が記載されていると認められる。
２　引用文献３について
　引用文献３には、次の事項が記載されている。
（引３−ア）「【技術分野】
【０００１】
　本発明は、固体撮像装置およびＸ線検査システムに関するものである。
【背景技術】
【０００２】
　
固体撮像装置として、ＣＭＯＳ技術を用いたものが知られており
入射光強度に応じた量の電荷を発生するフォトダイオードを含むＰＰＳ型の画素部がＭ行Ｎ列に２次元配列された受光部を備え
【０００３】
　
一般に、各列のＭ個の画素部それぞれの出力端は、その列に対応して設けられている読出用配線を介して、その列に対応して設けられている積分回路の入力端と接続されている。そして、第１行から第Ｍ行まで順次に行毎に、画素部のフォトダイオードで発生した電荷は、対応する読出用配線を通って、対応する積分回路に入力されて、その積分回路から電荷量に応じた電圧値が出力される
（引３−イ）「【００５８】
　なお、本実施形態に係る固体撮像装置１Ａは、第１撮像モードのときにビニング読み出しをする場合には、図５に示されるような動作を行う。図５は、第１実施形態に係る固体撮像装置１Ａの動作を説明するタイミングチャートである。この図は、２行２列のビニング読み出しをする場合の動作、すなわち、フレームデータにおける読出し画素ピッチを画素部のピッチの２倍とする場合の動作を示している。なお、ビニング読み出しをする場合、各積分回路Ｓｎにおいて、ゲイン設定用スイッチＳＷ２２が閉じていて、帰還容量部の容量値が大きい値に設定され、ゲインが小さくされているのが好ましい。
【００５９】
　この図には、上から順に、(a) リセット制御信号Reset、(b) 第１行選択制御信号Vsel(1)および第２行選択制御信号Vsel(2)、(c) 第３行選択制御信号Vsel(3)および第４行選択制御信号Vsel(4)、(d) 保持制御信号Hold、(e) 第１列選択制御信号Hsel(1)、(f) 第２列選択制御信号Hsel(2)、(g) 第３列選択制御信号Hsel(3)、(h) 第ｎ列選択制御信号Hsel(n)、ならびに、(i) 第Ｎ列選択制御信号Hsel(N) が示されている。
【００６０】
　
２行２列のビニング読み出しをする場合
時刻ｔ
１２
から時刻ｔ
１５
までの期間、制御部４０Ａから第１行選択用配線Ｌ
Ｖ,１
に出力される第１行選択制御信号Vsel(1)がハイレベルとなって、受光部１０Ａにおける第１行のＮ個の画素部Ｐ
１,１
〜Ｐ
１,Ｎ
それぞれの読出用スイッチＳＷ
１
が閉じる。また、この同じ期間に、制御部４０Ａから第２行選択用配線Ｌ
Ｖ,２
に出力される第２行選択制御信号Vsel(2)がハイレベルとなって、受光部１０Ａにおける第２行のＮ個の画素部Ｐ
２,１
〜Ｐ
２,Ｎ
それぞれの読出用スイッチＳＷ
１
が閉じる
【００６１】
　
これにより、画素部Ｐ
１,ｎ
および画素部Ｐ
２,ｎ
それぞれのフォトダイオードＰＤで発生して接合容量部に蓄積されていた電荷は、各画素部の読出用スイッチＳＷ
１
および第ｎ列読出用配線Ｌ
Ｏ,ｎ
を通って、積分回路Ｓ
ｎ
の積分用容量素子Ｃ
２１
，Ｃ
２２
に転送されて蓄積される
【００６２】
　Ｎ個の保持回路Ｈ１〜ＨＮそれぞれから順次に出力された電圧値はＡＤ変換部３０に入力されて、その入力電圧値に応じたデジタル値に変換される。そして、ＡＤ変換部３０から出力されたＮ個のデジタル値のうち第１列および第２列それぞれに対応するデジタル値が加算され、その後も２個ずつのデジタル値が加算されていく。
【００６３】
　同様にして、時刻ｔ２２から時刻ｔ２５までの期間、制御部４０Ａから第３行選択用配線ＬＶ,３に出力される第３行選択制御信号Vsel(3)がハイレベルとなって、受光部１０Ａにおける第３行のＮ個の画素部Ｐ３,１〜Ｐ３,Ｎそれぞれの読出用スイッチＳＷ１が閉じる。また、この同じ期間に、制御部４０Ａから第４行選択用配線ＬＶ,４に出力される第４行選択制御信号Vsel(4)がハイレベルとなって、受光部１０Ａにおける第４行のＮ個の画素部Ｐ４,１〜Ｐ４,Ｎそれぞれの読出用スイッチＳＷ１が閉じる。信号読出部２０およびＡＤ変換部３０では同様の処理が行われる。そして、ＡＤ変換部３０から出力されたＮ個のデジタル値のうち第１列および第２列それぞれに対応するデジタル値が加算され、その後も２個ずつのデジタル値が加算されていく。
【００６４】
　このように、受光部１０Ａにおいて
第１行から順に２行ずつ同時に処理が行われ
（引３−ウ）【図１】
「
　　　　　　　　　　　　　　　　　　　　　　　　　　」
（引３−エ）【図３】
「
　　　　　　　　　　　　　　　　　　　　　　　　　　」
（引３−オ）【図５】
「
　　　　　　　　　　　　　　　　　　　　　　　　　　」
第５　本願発明と引用発明との対比
１　本願発明と引用発明とを対比する。
ア
（ア）引用発明の「光電変換素子」と、本願発明の「フォトダイオード」とは、「光電変換素子」で共通する。
（イ）引用発明の「光電変換素子」は、「撮像電荷が」「得られる」ものであるから、入射光の強度に応じた撮像電荷を発生することは明らかである。
（ウ）引用発明の「トランスファゲート」は、本願発明の「読出用スイッチ」に相当する。
（エ）上記（ア）ないし（ウ）を踏まえると、引用発明の「画素ＳＯ，ＳＥに対応する光電変換素子」及び「各光電変換素子に対応するトランスファゲート」を有する「マトリクス状に配置された各フィールド」と、本願発明の「入射光強度に応じた量の電荷を発生するフォトダイオードと、このフォトダイオードと接続された読出用スイッチと、を各々含むＭＮ個の画素Ｐ１,１〜ＰＭ,ＮがＭ行Ｎ列に２次元配列された受光部」とは、「入射光強度に応じた量の電荷を発生する光電変換素子と、この光電変換素子と接続された読出用スイッチと、を各々含むＭＮ個の画素Ｐ１,１〜ＰＭ,ＮがＭ行Ｎ列に２次元配列された受光部」で共通する。
イ
（ア）引用発明の「転送信号」は、本願発明の「制御信号」に相当する。
（イ）上記（ア）及びア（ウ）を踏まえると、引用発明の「全トランスファゲートに同時に」「転送信号」を「供給」する「転送信号供給手段」と、本願発明の「前記受光部における第ｍ行のＮ個の画素Ｐｍ,１〜Ｐｍ,Ｎそれぞれの読出用スイッチに対し開閉動作を指示する第ｍ行選択制御信号を与える行選択用配線ＬＶ,ｍ」とは、「前記受光部における第ｍ行のＮ個の画素Ｐｍ,１〜Ｐｍ,Ｎそれぞれの読出用スイッチに対し開閉動作を指示する制御信号を与える制御信号供給手段ＬＶ」で共通する。
ウ
（ア）引用発明の「ＣＣＤイメージセンサ１０は、インターライントランスファ型ＣＣＤイメージセンサであ」るから、「垂直転送レジスタ部１１」が「マトリクス状に配置された各フィールド」の列ごとに配置されていることは明らかである。
（イ）上記（ア）並びにア（ア）及び（ウ）を踏まえると、引用発明の「マトリクス状に配置された各フィールドの画素ＳＯ，ＳＥに対応する光電変換素子に得られる撮像電荷が、各光電変換素子に対応するトランスファゲートを介して」、「１フレームに相当する電荷蓄積期間毎に」「転送され」、「１ライン分ずつ水平転送レジスタ部１２に転送」する「垂直転送レジスタ部１１」と、本願発明の「前記受光部における第ｎ列のＭ個の画素Ｐ１,ｎ〜ＰＭ,ｎそれぞれの読出用スイッチと接続され、前記Ｍ個の画素Ｐ１,ｎ〜ＰＭ,ｎのうちの何れかの画素のフォトダイオードで発生した電荷を、該画素の読出用スイッチを介して読み出す読出用配線ＬＯ,ｎ」とは、「前記受光部における第ｎ列のＭ個の画素Ｐ１,ｎ〜ＰＭ,ｎそれぞれの読出用スイッチと接続され、前記Ｍ個の画素Ｐ１,ｎ〜ＰＭ,ｎの光電変換素子で発生した電荷を、該画素の読出用スイッチを介して読み出す読出用手段ＬＯＮ」で共通する。
エ
（ア）引用発明の「撮像信号ＳＯＵＴ」と、本願発明の「デジタル値」とは、「出力信号」で共通する。
（イ）上記（ア）及びウを踏まえると、引用発明の「各フィールドの画素ＳＯ，ＳＥに対応する光電変換素子に得られる撮像電荷が」「上記垂直転送レジスタ部１１を介して１ライン分ずつ」「転送され」る「水平転送レジスタ部１２」、「出力部１３」、「サンプルホールド回路４」、「反転型バッファ増幅器５」、「遅延回路６」、「信号選択スイッチ７」及び「出力端子８」と、本願発明の「前記読出用配線ＬＯ,１〜ＬＯ,Ｎそれぞれと接続され、前記読出用配線ＬＯ,ｎを経て入力された電荷の量に基づいて生成されたデジタル値を出力する出力部」とは、「前記読出用手段ＬＯＮそれぞれと接続され、前記読出用手段ＬＯＮを経て入力された電荷の量に基づいて生成された出力信号を出力する出力部」で共通する。
オ　上記ア（ウ）、イ及びエを踏まえると、引用発明の「タイミング信号発生器１」、「ＣＣＤ駆動回路２」、及び、「制御信号ＣＴＬ」を「供給」して「上記信号選択スイッチ７」を「切り換え制御」して「上記反転型バッファ増幅器５から直接供給される撮像出力信号ＢＦＯＵＴと上記遅延回路６により１Ｈ遅延された遅延撮像信号ＤＬＯＵＴを選択して撮像信号ＳＯＵＴとして出力端子８から出力」させる「制御回路２０」と、本願発明の「前記行選択用配線ＬＶ,１〜ＬＶ,Ｍを介して前記受光部におけるＭＮ個の画素Ｐ１,１〜ＰＭ,Ｎそれぞれの読出用スイッチの開閉動作を制御するとともに、前記出力部におけるデジタル値出力動作を制御する制御部」とは、「前記制御信号供給手段ＬＶを介して前記受光部におけるＭＮ個の画素Ｐ１,１〜ＰＭ,Ｎそれぞれの読出用スイッチの開閉動作を制御するとともに、前記出力部における出力信号出力動作を制御する制御部」で共通する。
カ
（ア）引用発明の「増感モード」は「垂直方向に隣接する２個の画素の各信号電荷を加算混合」するものであるところ、引用発明の「信号電荷」が「加算混合」される「垂直方向に隣接する２個の画素」は、本願発明のＱ＝Ｒ＝１、Ｋ＝２の場合における「ビニング領域」に相当する。
（イ）上記（ア）を踏まえると、引用発明において「増感モード」が選択されることは、本願発明の「前記受光部においてＭ行Ｎ列に２次元配列された画素Ｐ１,１〜ＰＭ,Ｎを各々Ｑ行Ｒ列の画素からなる単位領域に区分し、これらの(Ｍ／Ｑ)行(Ｎ／Ｒ)列に２次元配列された単位領域を各々Ｋ行１列の単位領域からなるビニング領域に区分」することにおける、Ｑ＝Ｒ＝１、Ｋ＝２の場合に相当する。
（ウ）本件面接における請求人の説明によれば、「本件発明」における「順次に列毎にＫ回繰り返し」は、「列順の出力をＫ回繰り返す」ことを意味する記載であるから、上記（ア）及びエを踏まえると、引用発明の「垂直方向に隣接する２個の画素の各信号電荷を加算混合して信号レベルを２倍に上昇させた撮像出力信号を１水平走査期間おきに出力し、上記出力部１３から上記サンプルホールド回路４を介して１水平走査期間おきに線順次に読み出される撮像出力信号ＳＨＯＵＴは、１水平走査期間おきに撮像出力信号が欠落したものであるが、上記信号選択スイッチ７により上記反転型バッファ増幅器５から出力される撮像出力信号ＢＦＯＵＴと上記遅延回路６により１Ｈ遅延された遅延撮像信号ＤＬＯＵＴを１水平走査期間毎に交互に選択することによって、上記欠落部分が１水平走査期間前の撮像出力信号で補間され、１水平走査期間毎の線順次撮像信号ＳＯＵＴとして上記出力端子８から出力される」ことと、本願発明の「各ビニング領域に含まれるＫＱＲ個の画素から出力された電荷の量の和に応じたデジタル値を順次に列毎にＫ回繰り返して前記出力部から出力させる」こととは、「各ビニング領域に含まれるＫＱＲ個の画素から出力された電荷の量の和に応じた出力信号を順次に列毎にＫ回繰り返して前記出力部から出力させる」ことで共通する。
（エ）上記（ア）ないし（ウ）、ア（ウ）、イ及びエを踏まえると、
引用発明の「増感モードにおいて、
　上記制御回路２０は、上記ＣＣＤイメーセンサ１０の上記水平転送レジスタ部１２を作動させる水平転送パルスφＨ１，φＨ２の供給を１水平走査期間おきに１水平走査期間に亘って停止させるように上記ＣＣＤ駆動回路２の制御を行うとともに、上記反転型バッファ増幅器５から出力される撮像出力信号ＢＦＯＵＴと上記遅延回路６により１Ｈ遅延された遅延撮像信号ＤＬＯＵＴを１水平走査期間毎に交互に選択して撮像信号ＳＯＵＴとして上記出力端子８から出力するように上記信号選択スイッチ７の制御を行い、
　上記ＣＣＤイメーセンサ１０の上記水平転送レジスタ部１２では、１水平走査期間おきに１水平走査期間に亘って転送動作が停止されるので、垂直方向に隣接する２個の画素の各信号電荷を加算混合して信号レベルを２倍に上昇させた撮像出力信号を１水平走査期間おきに出力し、上記出力部１３から上記サンプルホールド回路４を介して１水平走査期間おきに線順次に読み出される撮像出力信号ＳＨＯＵＴは、１水平走査期間おきに撮像出力信号が欠落したものであるが、上記信号選択スイッチ７により上記反転型バッファ増幅器５から出力される撮像出力信号ＢＦＯＵＴと上記遅延回路６により１Ｈ遅延された遅延撮像信号ＤＬＯＵＴを１水平走査期間毎に交互に選択することによって、上記欠落部分が１水平走査期間前の撮像出力信号で補間され、１水平走査期間毎の線順次撮像信号ＳＯＵＴとして上記出力端子８から出力される」ことと、
本願発明の「前記制御部が、
　前記受光部においてＭ行Ｎ列に２次元配列された画素Ｐ１,１〜ＰＭ,Ｎを各々Ｑ行Ｒ列の画素からなる単位領域に区分し、これらの(Ｍ／Ｑ)行(Ｎ／Ｒ)列に２次元配列された単位領域を各々Ｋ行１列の単位領域からなるビニング領域に区分して、
　前記受光部において(Ｍ／ＫＱ)行(Ｎ／Ｒ)列に２次元配列されたビニング領域について順次に行毎に、該行にあるビニング領域に含まれる画素の読出用スイッチを閉じさせて、これらの画素のフォトダイオードで発生した電荷を前記出力部に入力させ、各ビニング領域に含まれるＫＱＲ個の画素から出力された電荷の量の和に応じたデジタル値を順次に列毎にＫ回繰り返して前記出力部から出力させる」こととは、
「前記制御部が、
　前記受光部においてＭ行Ｎ列に２次元配列された画素Ｐ１,１〜ＰＭ,Ｎを各々Ｑ行Ｒ列の画素からなる単位領域に区分し、これらの(Ｍ／Ｑ)行(Ｎ／Ｒ)列に２次元配列された単位領域を各々Ｋ行１列の単位領域からなるビニング領域に区分して、
　前記受光部において(Ｍ／ＫＱ)行(Ｎ／Ｒ)列に２次元配列されたビニング領域についてビニング領域に含まれる画素の読出用スイッチを閉じさせて、これらの画素の光電変換素子で発生した電荷を前記出力部に入力させ、各ビニング領域に含まれるＫＱＲ個の画素から出力された電荷の量の和に応じた出力信号を順次に列毎にＫ回繰り返して前記出力部から出力させる」ことで共通する。
２　そうすると、本願発明と引用発明とは、
「　入射光強度に応じた量の電荷を発生する光電変換素子と、この光電変換素子と接続された読出用スイッチと、を各々含むＭＮ個の画素Ｐ１,１〜ＰＭ,ＮがＭ行Ｎ列に２次元配列された受光部と、
　前記受光部における第ｍ行のＮ個の画素Ｐｍ,１〜Ｐｍ,Ｎそれぞれの読出用スイッチに対し開閉動作を指示する制御信号を与える制御信号供給手段ＬＶと、
　前記受光部における第ｎ列のＭ個の画素Ｐ１,ｎ〜ＰＭ,ｎそれぞれの読出用スイッチと接続され、前記Ｍ個の画素Ｐ１,ｎ〜ＰＭ,ｎの光電変換素子で発生した電荷を、該画素の読出用スイッチを介して読み出す読出用手段ＬＯＮと、
　前記読出用手段ＬＯＮそれぞれと接続され、前記読出用手段ＬＯＮを経て入力された電荷の量に基づいて生成された出力信号を出力する出力部と、
　前記制御信号供給手段ＬＶを介して前記受光部におけるＭＮ個の画素Ｐ１,１〜ＰＭ,Ｎそれぞれの読出用スイッチの開閉動作を制御するとともに、前記出力部における出力信号出力動作を制御する制御部と、
　を備え、
　前記制御部が、
　前記受光部においてＭ行Ｎ列に２次元配列された画素Ｐ１,１〜ＰＭ,Ｎを各々Ｑ行Ｒ列の画素からなる単位領域に区分し、これらの(Ｍ／Ｑ)行(Ｎ／Ｒ)列に２次元配列された単位領域を各々Ｋ行１列の単位領域からなるビニング領域に区分して、
　前記受光部において(Ｍ／ＫＱ)行(Ｎ／Ｒ)列に２次元配列されたビニング領域についてビニング領域に含まれる画素の読出用スイッチを閉じさせて、これらの画素の光電変換素子で発生した電荷を前記出力部に入力させ、各ビニング領域に含まれるＫＱＲ個の画素から出力された電荷の量の和に応じた出力信号を順次に列毎にＫ回繰り返して前記出力部から出力させる、
固体撮像装置（ただし、Ｍ，Ｎは２以上の整数、ｍは１以上Ｍ以下の整数、ｎは１以上Ｎ以下の整数、Ｑ，Ｒは１以上の整数、Ｋは２以上の整数）。」
の発明である点で一致し、以下の３点で相違する。
（相違点１）
　入射光強度に応じた量の電荷を発生する光電変換素子が、本願発明においては、「フォトダイオード」に特定されているのに対し、引用発明においては、そのような特定がされていない点。
（相違点２）
　画素Ｐｍ,１〜Ｐｍ,Ｎそれぞれの読出用スイッチに対し開閉動作を指示する制御信号を与える制御信号供給手段ＬＶ、画素Ｐ１,ｎ〜ＰＭ,ｎそれぞれの読出用スイッチと接続され前記Ｍ個の画素Ｐ１,ｎ〜ＰＭ,ｎの光電変換素子で発生した電荷を該画素の読出用スイッチを介して読み出す読出用手段ＬＯＮ、及び、制御部が行う読出用スイッチの制御について、本願発明においては、制御信号供給手段ＬＶが「第ｍ行選択制御信号を与える行選択用配線ＬＶ,ｍ」であり、読出用手段ＬＯＮが「前記Ｍ個の画素Ｐ１,ｎ〜ＰＭ,ｎのうちの何れかの画素のフォトダイオードで発生した電荷を、該画素の読出用スイッチを介して読み出す読出用配線ＬＯ,ｎ」であり、制御部が「２次元配列されたビニング領域について順次に行毎に、該行にあるビニング領域に含まれる画素の読出用スイッチを閉じさせ」るのに対し、引用発明においては、制御信号供給手段ＬＶが「全トランスファゲートに同時に」「転送信号」を「供給」する「転送信号供給手段」であり、読出用手段ＬＯＮが「垂直転送レジスタ部１１」であり、制御部の「ＣＣＤ駆動回路２から転送信号供給手段により全トランスファゲートに同時に」「転送信号」が「供給される」点。
（相違点３）
　出力部が出力する出力信号が、本願発明においては、「デジタル値」に特定されているのに対し、引用発明の「撮像信号ＳＯＵＴ」は、デジタル値であるか不明な点。
第６　当審の判断
　
１　上記各相違点について検討する。
（１）相違点１について
　インターライントランスファ型ＣＣＤイメージセンサを含めて、固体撮像装置の光電変換素子としてフォトダイオードを用いることは従来周知であり、引用発明の「光電変換素子」としてフォトダイオードを用いることは、当業者であれば適宜選択し得る設計的事項である。
（２）相違点２について
　引用発明は、インターライントランスファ型ＣＣＤイメージセンサを用いていることから、転送信号供給手段により全トランスファゲートに同時に転送信号が供給され、各フィールドの画素ＳＯ，ＳＥに対応する光電変換素子に得られる撮像電荷が、各光電変換素子に対応するトランスファゲートを介して垂直転送レジスタ部１１に転送され、上記垂直転送レジスタ部１１を介して１ライン分ずつ水平転送レジスタ部１２に転送するように構成されている。
　しかしながら、固体撮像装置において、行単位で電荷転送する画素を選択する信号を供給する行配線、及び、列に対応する画素の電荷を転送する列配線を備えたＣＭＯＳ型のイメージセンサは、従来周知である（以下、当該ＣＭＯＳ型のイメージセンサを「周知技術１」という。）。
　ここで、（引１−ア）の段落【０００４】に、従来技術の欠点について「残像が多くなってしまう」と記載されていることから、引用発明は、その用途としてビデオカメラを想定しているものと認められる。そして、ビデオカメラに用いる固体撮像装置として、ＣＣＤイメージセンサの普及の後にＣＭＯＳ型のイメージセンサが普及したという本願出願前の技術の流れを考慮すると、引用発明において、「ＣＣＤイメージセンサ１０」に代えて周知技術１を採用することには、十分な動機付けがあるといえる。
　また、引用文献３には、周知技術１において同じ列に属する２行分の画素の電荷を加算する場合に、加算対象の画素が属する２行のみを同時に選択すること（以下「引用文献３技術事項」という。）が記載されている。
　してみると、引用発明において、インターライントランスファ型ＣＣＤイメージセンサであるＣＣＤイメージセンサ１０に代えて、周知技術１に加えて引用文献３技術事項を採用し、加算対象の２行のみを同時に選択するようにして上記相違点２に係る本願発明の発明特定事項を得ることは、当業者であれば容易になし得ることである。
（３）相違点３について
　固体撮像装置において、出力をデジタル変換して用いることは、デジタルビデオカメラに例を見るように従来周知であり、引用発明の「撮像信号ＳＯＵＴ」をデジタル信号とすることは、当業者であれば適宜選択し得る設計的事項である。
２　本願発明の奏する作用効果
　本願の発明の詳細な説明の段落【００２１】に記載された「固体撮像装置においてビニングした場合でも取り扱いが容易な信号を出力することができる」という本願発明によってもたらされる効果は、引用文献１及び３の記載事項から当業者が予測し得る程度のものである。
３　請求人の主張について
　請求人は、令和元年９月２５日提出の意見書において、「引用発明１は、『１水平走査期間おきに１水平走査期間に亘って転送動作が停止され・・・撮像出力信号を１水平走査期間おきに出力』するというＣＣＤイメージセンサであるからこそ可能な固有の動作において、『１水平走査期間おきに撮像出力信号が欠落』というＣＣＤイメージセンサに固有の課題が生じるところ、その問題を解消する為にＣＣＤイメージセンサに固有の構成を備えたものです。
　本願発明の固体撮像装置が基本とするＣＭＯＳ型イメージセンサは、ビニング動作をする場合に、『１水平走査期間おきに１水平走査期間に亘って転送動作が停止され・・・撮像出力信号を１水平走査期間おきに出力』するようなことはなく、したがって、『１水平走査期間おきに撮像出力信号が欠落』するようなこともなく、ましてや、その欠落を補間するようなこともありません。
　拒絶理由通知書に記載されたような『引用発明１において、インターライントランスファ型ＣＣＤイメージセンサであるＣＣＤイメージセンサ１０に代えて、従来周知のＣＭＯＳ型のイメージセンサを採用する』構成の固体撮像装置を仮に想定することとして、以下では、これを“仮想の固体撮像装置”と呼ぶことにします。
　この“仮想の固体撮像装置”は、『ＣＭＯＳ型のイメージセンサを採用する』ことにより直ちに、引用発明１が解決しようとする課題がなくなり、引用発明１の解決手段の構成をも失うことになります。
　すなわち、“仮想の固体撮像装置”は、『ＣＭＯＳ型のイメージセンサを採用する』ものであることから、『引用文献３のように加算対象の行を同時に選択するようにする』場合であっても、『１水平走査期間おきに１水平走査期間に亘って転送動作が停止』するようなことはありません。これは、ＣＭＯＳ型イメージセンサの場合には当然のことです。
　したがって、“仮想の固体撮像装置”は、『撮像出力信号を１水平走査期間おきに出力』するようなこともなく、『１水平走査期間おきに撮像出力信号が欠落』するようなこともありません。
　欠落が生じない以上、“仮想の固体撮像装置”は、信号選択スイッチにより撮像出力信号ＢＦＯＵＴと遅延撮像信号ＤＬＯＵＴとを１水平走査期間毎に交互に選択するようなことはなく、『上記欠落部分が１水平走査期間前の撮像出力信号で補間』されるようなこともありません。 
　このように、仮に『引用発明１において、インターライントランスファ型ＣＣＤイメージセンサであるＣＣＤイメージセンサ１０に代えて、従来周知のＣＭＯＳ型のイメージセンサを採用するとともに、引用文献３のように加算対象の行を同時に選択するようにする』としても、本願発明の特徴的構成に一歩たりとも近づくことはありません。
　寧ろ、『引用発明１において、インターライントランスファ型ＣＣＤイメージセンサであるＣＣＤイメージセンサ１０に代えて、従来周知のＣＭＯＳ型のイメージセンサを採用する』ことは、引用発明１のＣＣＤイメージセンサの基本的構成を喪失する上、引用発明１の解決課題だけでなく解決手段の特徴的構成をも喪失することになるから、阻害要因があると言えます。
　引用発明１においてＣＣＤイメージセンサに替えてＣＭＯＳ型イメージセンサを採用することはできません。仮に、係る採用をしたとしても、本願発明の特徴的構成には至りません。本願発明は引用発明１等に基づいて当業者が容易に想到し得たものではありません。」と主張する。
　しかしながら、（引１−ア）の「従来提案されている蓄積モードを採用したのでは、感度をＮ倍に上げる場合に、ＣＣＤイメージセンサの電荷蓄積期間をＮフレーム期間として撮像動作を行うので、撮像出力信号として得られる画像が間歇的になってしまい、撮像出力信号をフレームメモリに記憶して同じ画像を繰り返し読み出す必要があり、また、残像が多くなってしまうとうい欠点がある。」（段落【０００４】）、「本発明は、上述の如き従来の固体撮像装置における欠点を伴うことなく、感度を上昇させた撮像動作を行うことができるようにした固体撮像装置を提供するものである。」（段落【０００５】）、（引１−イ）の「上記固体撮像素子から上記水平転送レジスタ部を介して上記１水平走査期間おきに線順次に出力される撮像信号と、この撮像信号を遅延手段により１水平走査期間遅延させた遅延撮像信号とを信号選択手段により交互に選択することによって、全ライン分の撮像出力信号を線順次に得ることができる。上記撮像出力信号は、１フィールド又は１フレーム毎に得られるもので、間歇的な画像になってしまうことがなく、また、残像が多くなってしまうこともない。従って、本発明によれば、画像が間歇的になったり、残像が多くなったりすることなく、感度を上昇させた撮像動作を行うことのできる固体撮像装置を提供することができる。」（段落【００２６】）との記載を参酌するに、引用発明は、増感モードにおいて、単に従来の電荷蓄積期間の増加による電荷加算に代えて、１フレーム内における２画素の電荷を加算するのみではなく、「上記信号選択スイッチ７により上記反転型バッファ増幅器５から出力される撮像出力信号ＢＦＯＵＴと上記遅延回路６により１Ｈ遅延された遅延撮像信号ＤＬＯＵＴを１水平走査期間毎に交互に選択することによって、上記欠落部分が１水平走査期間前の撮像出力信号で補間され、１水平走査期間毎の線順次撮像信号ＳＯＵＴとして上記出力端子８から出力される」ことによって、通常モードと同様に「全ライン分の撮像出力信号を線順次に得ることができ」、「撮像出力信号は、１フィールド又は１フレーム毎に得られ」るようにしたものである。
　してみると、引用発明において、インターライントランスファ型ＣＣＤイメージセンサであるＣＣＤイメージセンサ１０に代えて、周知技術１に加えて引用文献３技術事項を採用した場合、水平転送レジスタ部１２に代えて個別に出力可能な積分手段を列ごとに備えたものとなるとしても、増感モードにおいて通常モードと同様に映像出力信号が全ライン分かつ１フィールドごとに得られるようにするために、「上記信号選択スイッチ７により上記反転型バッファ増幅器５から出力される撮像出力信号ＢＦＯＵＴと上記遅延回路６により１Ｈ遅延された遅延撮像信号ＤＬＯＵＴを１水平走査期間毎に交互に選択することによって」、「１水平走査期間毎の線順次撮像信号ＳＯＵＴとして上記出力端子８から出力される」構成を残すことは、当業者であれば当然考慮すべきことである。
　また、引用発明にＣＭＯＳ型のイメージセンサを採用しても、上述のように増感モードは実現できることから、請求人が主張する阻害要因があるとも認められない。
　よって、請求人の上記主張は採用できない。
４　まとめ
　したがって、本願発明は、引用発明、周知技術１及び引用文献３技術事項に基いて当業者が容易に発明をすることができたものである。
第７　むすび
　以上のとおりであるから、本願発明は、特許法第２９条第２項の規定により特許を受けることができない。
　したがって、その余の請求項に係る発明について論及するまでもなく、本願は拒絶すべきものである。
　よって、結論のとおり審決する。